【事件の表示】
　特願２００５−１７４６４３「発光表示装置」拒絶査定不服審判事件〔平成１８年１２月２８日出願公開、特開２００６−３４９８８２〕について、次のとおり審決する。
【結　論】
　本件審判の請求は、成り立たない。
【理　由】
１　手続の経緯
　本願は、平成１７年６月１５日の出願であって、平成２３年７月１９日付けで手続補正がなされ、同年１０月１１日付けで拒絶査定がなされ、これに対して、平成２４年１月１７日付けで拒絶査定不服審判が請求されると同時に手続補正がなされたものである。
　なお、審判請求人は、当審における平成２４年８月１４日付け審尋に対して同年１０月１０日付けで回答書を提出している。
　
２　本願発明
　本願の請求項１ないし４に係る発明は、平成２４年１月１７日付けで補正された特許請求の範囲の請求項１ないし４に記載された事項によって特定されるものであるところ、その請求項１に係る発明は、平成２４年１月１７日付けで補正された明細書、特許請求の範囲及び図面の記載からみて、その特許請求の範囲の請求項１に記載されたとおりの次のものと認める。
　
「マトリクス状に配置された複数の発光ダイオードと、
　前記複数の発光ダイオードと行単位に接続される複数のアノードラインと、
　前記複数の発光ダイオードと列単位に接続される複数のカソードラインと、
　前記複数のアノードラインに対応して設けられ、各々が活性状態時に放電用の抵抗を用いて対応の前記アノードラインの蓄積電荷を放電する放電動作を行う複数の放電回路と、
　点灯期間及び非点灯期間を繰り返し、前記点灯期間中において前記複数のアノードラインのうち一の選択アノードラインに駆動電圧を付与するアノードライン選択部と、
　前記点灯期間中において前記複数のカソードラインのうち一の選択カソードラインから電流を引き込む駆動回路と、
　前記非点灯期間内に設定された放電期間において、前記複数のアノードラインのうち、前記放電期間直前の前記点灯期間中における前記選択アノードラインを少なくとも含む放電対象アノードラインに対応する前記放電回路を活性状態にする放電制御回路を備え、
　前記放電回路が一の前記放電期間中に行う放電動作である一期間放電動作を少なくとも一回行うことによって前記放電対象アノードラインの電位は前記駆動電圧から設定電圧に達し、前記放電対象アノードラインが前記設定電圧に達した後は、前記一期間放電動作によっても前記設定電圧は維持されるように、前記放電用の抵抗の抵抗値及び前記放電期間が設定され、
　前記設定電圧は、前記選択アノードライン以外のアノードラインに接続され、前記選択カソードラインに接続される発光ダイオードが誤って発光する隣接漏れ発光が生じず、かつ前記複数の発光ダイオードのうち整流機能が不十分な発光ダイオードに逆方向電流が流れない電位に設定される、
発光表示装置。」（以下「本願発明」という。）
　
３　刊行物の記載事項
　原査定の拒絶の理由に引用された「本願の出願前に頒布された刊行物である特開平１１−１６１２１９号公報（以下「引用例」という。）」には、図とともに次の事項が記載されている。（下線は審決で付与した。）
（１）「【特許請求の範囲】
【請求項１】
データラインと走査ラインとの電気的交点に発光素子を接続した単純マトリクス型発光装置を発光させる発光装置駆動回路であって、選択データラインと選択走査ラインとの電気的交点に接続された発光対象となる発光素子への駆動が終了してから、前記選択走査ラインとは別の走査ラインに接続された発光素子への駆動を開始するまでの走査ライン切り替え時において、前記選択データライン
と基準電位ラインとの間に発生した蓄積電荷の少なくとも一部を放電する放電機能を有することを特徴とする発光装置駆動回路
【請求項２】
放電機能が選択データライン
と基準電位ラインとの間に発生した蓄積電荷による電位差を発光素子の発光開始電圧以下にせしめることを特徴とする請求項１記載の発光装置駆動回路
【請求項３】データラインもしくは走査ラインと放電機能動作部分との電気的接続位置に、前記放電機構動作時に流れる放電電流方向を順方向とする向きに直列接続された整流素子が存在することを特徴とする請求項１記載の発光装置駆動回路。
【請求項４】
走査ライン切り替え時において選択データラインと基準電位ラインとの間に発生した蓄積電荷の少なくとも一部を放電する放電機能を有することを特徴とする請求項１〜３のいずれか記載の発光装置駆動回路
【請求項５】
発光素子が整流特性を有することを特徴とする請求項１記載の発光装置駆動回路
【請求項６】
発光素子が有機電界発光素子であることを特徴とする請求項１記載の発光装置駆動回路
　
（２）「【０００１】
【発明の属する技術分野】本発明は、表示素子、フラットパネルディスプレイ、バックライト、インテリアなどの分野に利用可能な発光装置の駆動回路に関し、特に
データラインと走査ラインとの電気的交点に発光素子を配した単純マトリクス型発光装置
【０００２】
【従来の技術】近年、新しい発光素子として有機電界発光素子が注目されている。本素子は、陽極から注入された正孔と陰極から注入された電子とが両極に挟まれた有機蛍光体内で再結合することにより発光するものであり、低電圧で高輝度に発光することがコダック社のＣ．Ｗ．Ｔａｎｇらによって初めて示された（Ａｐｐｌ．Ｐｈｙｓ．Ｌｅｔｔ．５１（１２）２１，ｐ．９１３，１９８７）。
【０００３】図１２は有機電界発光素子の代表的な構造を示す断面図である。ガラス基板１に形成された透明な陽極２上に正孔輸送層３、有機発光層４、陰極５が積層され、駆動源６による駆動で生じた発光は陽極およびガラス基板を介して外部に取り出される。
本発光素子は、陽極をプラス極性とした場合（順バイアス方向）に電流が流れて発光し、陰極をプラス極性とした場合（逆バイアス方向）にはほとんど電流が流れないという整流性を有する
【０００４】このような有機電界発光素子は薄型、低電圧駆動下での高輝度発光や有機蛍光材料を選択することによる多色発光が可能であり、表示素子やディスプレイなどに応用する検討が盛んである。
【０００５】図１３は有機電界発光素子を利用した単純マトリクス型発光装置を発光させる従来の駆動回路の一例を示す等価回路である。
Ｍ×Ｎ個の有機電界発光素子１０（ＥＬ）がＭ本のデータライン１１とＮ本の走査ライン１２の電気的交点に配置されている
データライン１１と走査ライン１２は、それぞれデータラインスイッチ１３（ＤＳＷ）および走査ラインスイッチ１４（ＳＳＷ）を介して駆動源１５に接続されている
【０００６】このような単純マトリクス型発光装置では線順次駆動により各発光素子を所望のパターンに発光させることができる。図１３においてＥＬm,nとＥＬm+1,n+1とを（１≦ｍ≦Ｍ−１、１≦ｎ≦Ｎ−１）発光させる場合には、ＤＳＷmとＳＳＷnとをオン、および、ＤＳＷm+1とＳＳＷn+1とをオンの状態を高速に繰り返せば、残像効果によりＥＬm,nとＥＬm+1,n+1とが同時に発光しているように見せることができる。なお、図１３ではデータライン１１が発光素子の陽極に、走査ライン１２が陰極に対応しているが、その逆であってもパターン発生原理は同じである。」
　
（３）「【０００７】
【発明が解決しようとする課題】
単純マトリクス型発光装置においては、本来発光させたい発光素子以外の発光素子までが発光するクロストーク現象が大きな問題となっている
このクロストークは、副パス電流による半選択素子の発光と蓄積電荷による非選択素子の発光とに大きく区別される
【０００８】
副パス電流による半選択素子の発光については、図１４に示すようにＥＬ
m,n
のみを発光させる場合
主パス電流はＥＬ
m,n
を順方向に流れて発光させるものであるが、それ以外にＥＬ
m,n+1
、ＥＬ
m+1,n+1
、ＥＬ
m+1,n
の３素子を順にたどる副パスが存在する
理想的な有機電界発光素子であれば、ＥＬ
m+1,n+1
が逆バイアスとなるので副パス電流は流れないが、現実的には有機電界発光素子にもある程度の逆バイアス方向電流が流れるので、半選択素子であるＥＬ
m,n+1
とＥＬ
m+1,n
とに副パス電流が順バイアス方向に流れて両素子が発光する
【０００９】蓄積電荷による非選択素子の発光については、図１５および図１６に示すように
ＥＬ
m,n
とＥＬ
m+1,n+1
とを発光させる場合
まず、ＤＳＷ
m
とＳＳＷ
n
をオンにしてＥＬ
m,n
を発光させるが
、同時にｍ番目のデータラインと基準電位ラインとの間に存在するＣmに充電電流が流れて、電荷Ｑが蓄積される
次に走査ラインの選択を切り替えて、ＤＳＷ
m+1
とＳＳＷ
n+1
とをオンにしてＥＬ
m+1,n+1
を発光させる
この際、ＤＳＷ
m
はオフであるが、Ｃ
m
から放電電流がＥＬ
m,n+1
の順バイアス方向に流れて、非選択素子であるＥＬ
m,n+1
が発光する
【００１０】蓄積電荷による非選択素子の発光を回避できる方法として、有機ＥＬ素子開発戦略（サイエンスフォーラム社、ｐ．６９，１９９２）で示されている図１７のような駆動回路が知られている。ここでは、データラインスイッチ１３がオフの場合にデータライン１１がアース電位となる。したがって、ＥＬm,nを発光させている図１７の状態でｍ番目のデータラインと基準電位ラインとの間に蓄積された電荷が、走査ラインの選択が切り替わった際に非選択素子であるＥＬm,n+1を発光させることはない。しかしながら、図１７の状態では駆動源１５の電圧がＥＬm,n+1とＥＬm+1,n+1との２素子に分配される。すでに例示した図１４の駆動回路では駆動源１５の電圧は３素子に分配されていたが、それに比べて本駆動方法ではＥＬm+1,n+1に掛かる逆バイアス方向電圧も大きくなるので、副パス電流もより増大し、結果として発光素子への負担が大きく、半選択素子ＥＬm,n+1の発光もより強くなるという問題があった。
【００１１】上記の方法を改良してさらにクロストークを抑制できる方法としては、特開平６−３０１３５５号公報や特開平８−３３００７０号公報で示される駆動回路がある。図１８はその概念を示す等価回路であり、非選択走査ラインの電位を最大で駆動源１５の電圧にまで高めることが特徴である。したがって、ＥＬm,nを発光させている図１８の状態でも副パス電流はＥＬm+1,n+1を逆バイアス方向に流れるだけなので、図１４で順バイアス方向に副パス電流が流れていた半選択素子ＥＬm,n+1とＥＬm+1,nとの発光が抑制される。しかしながら、図１８の状態では駆動源１５の電圧が逆バイアス方向にＥＬm+1,n+1の１素子に掛かり、しかも、ｎ＋１番目の走査ラインが選択される以外の期間中であればｍ＋１番目のデータラインが非選択状態となる度に、その状態が繰り返される。つまり、有機電界発光素子により大きな逆バイアス方向電圧がより長期間印加されることになるので、素子への負担が格段に大きくなり、整流性の悪化や発光効率の低下などを引き起こすという問題があった。
【００１２】本発明はかかる問題を解決し、単純マトリクス型発光装置において、比較的簡単な構成でありながら、発光素子への負担が小さく、
副パス電流による半選択素子の発光と蓄積電荷による非選択素子の発光とに起因するクロストークを
抑制する
【００１３】
【課題を解決するための手段】前記課題を達成するために本発明の発光装置駆動回路は次のことを特徴とする。すなわち、「データラインと走査ラインとの電気的交点に発光素子を接続した単純マトリクス型発光装置を発光させる発光装置駆動回路であって、選択データラインと選択走査ラインとの電気的交点に接続された発光対象となる発光素子への駆動が終了してから、前記選択走査ラインとは別の走査ラインに接続された発光素子への駆動を開始するまでの走査ライン切り替え時において、前記選択データラインもしくは前記選択走査ラインと基準電位ラインとの間に発生した蓄積電荷の少なくとも一部を放電する放電機能を有することを特徴とする発光装置駆動回路」である。」
　
（４）「【００１４】
【発明の実施の形態】本発明の
発光装置駆動回路
Ｍ×Ｎ個の有機電界発光素子１０（ＥＬ）がＭ本のデータライン１１とＮ本の走査ライン１２の電気的交点に配置されている
データライン１１と走査ライン１２は、それぞれデータラインスイッチ１３（ＤＳＷ）および走査ラインスイッチ１４（ＳＳＷ）を介して駆動源１５に接続され、さらに各データライン１１は放電スイッチ１８（ＤＣＳＷ）を介して基準電位ライン１６に接続されている
【００１５】本発光装置駆動回路による
線順次駆動でＥＬ
m,n
とＥＬ
m+1,n+1
とを発光させてパターン表示を行う
まず、ＤＳＷ
m
とＳＳＷ
n
のみをオンにして発光対象であるＥＬ
m,n
を発光させる
【００１６】
次に、ＥＬ
m,n
への駆動を終了するためにＤＳＷ
m
をオフにする
ｍ番目のデータラインと基準電位ライン１６との間にはＥＬ
m,n
の駆動時に発生した蓄積電荷が存在する
【００１７】
次に、前記蓄積電荷を放電するためにＤＣＳＷをオンにする
【００１８】
放電が終了すれば、ＤＣＳＷをオフにしてからＤＳＷ
m+1
とＳＳＷ
n+1
をオンにして、次の発光対象であるＥＬ
m+1,n+1
を発光させる
ここではｍ番目のデータラインと共通ラインとの間に蓄積電荷は存在しないので、
ＥＬ
m,n+1
の発光は生じない
【００１９】以上の動作を繰り返すことで、発光素子への負担を小さく保ったまま、クロストークの抑制されたパターン表示を行わせることができる。
【００２０】
図１〜５に示した回路ではデータライン１１と基準電位ライン１６との電位差がゼロになるが、この電位差の値は特に限定されるものではない
蓄積電荷による非選択素子の発光を抑制するという観点から、本発明の発光装置駆動回路が有する放電機能は蓄積電荷の少なくとも一部を放電させて前記電位差を発光素子の発光開始電圧以下にせしめることが望ましい
【００２１】例えば図６に示すように、
放電スイッチ１８と基準電位ライン１６との間に定電圧ダイオード２０
を挿入し、データライン１１と基準電位ライン１６との電位差を発光素子の発光開始電圧
よりやや小さい値に固定す
浮遊容量による充放電電流値が小さくなり、駆動回路が消費する電流値を少なくする
【００２２】
放電時間については特に限定されないが、放電機能が動作している間は発光素子の駆動動作が停止する
【００２３】短時間で十分な放電を実現するためには放電回路の時定数を小さくすることが好ましいが、図７に示すように、放電スイッチ１８と基準電位ライン１６との間に直流電圧源２１を逆方向極性に挿入することもできる。これにより、データライン１１と基準電位ライン１６との間に発生した蓄積電荷だけでなく、発光素子自体に蓄積された電荷もより短時間で放電させることができる。」
　
（５）「【００３８】
【発明の効果】本発明の
発光装置駆動回路では走査ラインの切り替え時にのみ蓄積電荷を放電する放電機能が動作するので、単純マトリクス型発光装置を駆動する際にクロストーク現象を抑制して良好な表示特性を得ることができ
【００３９】さらに、蓄積電荷の放電により各発光素子それぞれに実際に印加される電圧（電流）を正確に制御することが可能となり、フルカラーディスプレイなどにおいて正確な階調表示を実施する上でも有用である。」
　
（６）図１ないし図７から、各データライン１１はデータラインスイッチ１３を介して駆動源１５の高電位側に接続されており、各走査ライン１２は走査ラインスイッチ１４及び基準電位ライン１６を介して駆動源１５の低電位側に接続されていることが見てとれる。
　
（７）上記（１）ないし（６）からみて、引用例には、
「データラインスイッチＤＳＷを介して駆動源の高電位側に接続されているＭ本のデータラインと、走査ラインスイッチＳＳＷ及び基準電位ラインを介して駆動源の低電位側に接続されているＮ本の走査ラインと、データラインと走査ラインとの電気的交点に配置・接続した、陽極をプラス極性とした場合順バイアス方向に電流が流れて発光し、陰極をプラス極性とした場合逆バイアス方向にはほとんど電流が流れないという整流特性を有するＭ×Ｎ個の有機電界発光素子と、発光装置駆動回路とを有する単純マトリクス型発光装置において、
　各データラインを放電スイッチＤＣＳＷを介して基準電位ラインに接続し、選択データラインと選択走査ラインとの電気的交点に接続された発光対象となる有機電界発光素子への駆動が終了してから、前記選択走査ラインとは別の走査ラインに接続された有機電界発光素子への駆動を開始するまでの走査ライン切り替え時に、有機電界発光素子の駆動時に前記選択データラインと基準電位ラインとの間に発生した蓄積電荷の少なくとも一部を放電し、選択データラインと基準電位ラインとの間に発生した蓄積電荷による電位差を有機電界発光素子の発光開始電圧以下にせしめる放電機能を前記発光装置駆動回路に設け、
　該発光装置駆動回路を、線順次駆動で有機電界発光素子ＥＬm,nと有機電界発光素子ＥＬm+1,n+1とを発光させてパターン表示を行う際、まず、データラインスイッチＤＳＷmと走査ラインスイッチＳＳＷnのみをオンにして発光対象である有機電界発光素子ＥＬm,nを発光させ、次に、有機電界発光素子ＥＬm,nへの駆動を終了するためにデータラインスイッチＤＳＷmをオフにし、このときｍ番目のデータラインと基準電位ラインとの間には有機電界発光素子ＥＬm,nの駆動時に発生した蓄積電荷が存在しているので、次に、前記蓄積電荷を放電するために放電スイッチＤＣＳＷをオンにし、放電が終了すれば、放電スイッチＤＣＳＷをオフにしてからデータラインスイッチＤＳＷm+1と走査ラインスイッチＳＳＷn+1をオンにして、次の発光対象である有機電界発光素子ＥＬm+1,n+1を発光させるようなものにし、走査ラインの切り替え時にのみ蓄積電荷を放電する放電機能が動作することにより、現実的には有機電界発光素子にもある程度の逆バイアス方向電流が流れるので半選択素子である有機電界発光素子に副パス電流が順バイアス方向に流れて発光する副パス電流による半選択素子の発光と、データラインと基準電位ラインとの間に存在する浮遊容量に充電電流が流れて蓄積した蓄積電荷による非選択素子が発光する非選択素子の発光とに起因して、本来発光させたい発光素子以外の有機電界発光素子までが発光する現象を抑制して良好な表示特性を得ることができるようにした単純マトリクス型発光装置であって、
　放電スイッチＤＣＳＷと基準電位ラインとの間に、データラインと基準電位ラインとの電位差を有機電界発光素子の発光開始電圧よりやや小さい値に固定するための定電圧ダイオードを挿入することにより、浮遊容量による充放電電流値を小さくし、駆動回路が消費する電流値を少なくした、単純マトリクス型発光装置。」の発明（以下「引用発明」という。）が記載されているものと認められる。
　
４　対比
　本願発明と引用発明とを対比する。
（１）引用発明の「データラインと走査ラインとの電気的交点に配置・接続した、陽極をプラス極性とした場合順バイアス方向に電流が流れて発光し、陰極をプラス極性とした場合逆バイアス方向にはほとんど電流が流れないという整流特性を有するＭ×Ｎ個の有機電界発光素子」、「Ｍ本のデータライン」、「Ｎ本の走査ライン」、「各データラインを放電スイッチＤＣＳＷを介して基準電位ラインに接続し、選択データラインと選択走査ラインとの電気的交点に接続された発光対象となる有機電界発光素子への駆動が終了してから、前記選択走査ラインとは別の走査ラインに接続された有機電界発光素子への駆動を開始するまでの走査ライン切り替え時に、有機電界発光素子の駆動時に前記選択データラインと基準電位ラインとの間に発生した蓄積電荷の少なくとも一部を放電し、選択データラインと基準電位ラインとの間に発生した蓄積電荷による電位差を有機電界発光素子の発光開始電圧以下にせしめる放電機能」、「『線順次駆動で有機電界発光素子ＥＬm,nと有機電界発光素子ＥＬm+1,n+1とを発光させてパターン表示を行う際、まず、データラインスイッチＤＳＷmと走査ラインスイッチＳＳＷnのみをオンにして発光対象である有機電界発光素子ＥＬm,nを発光させ、次に、有機電界発光素子ＥＬm,nへの駆動を終了するためにデータラインスイッチＤＳＷmをオフにし、このときｍ番目のデータラインと基準電位ラインとの間には有機電界発光素子ＥＬm,nの駆動時に発生した蓄積電荷が存在しているので、次に、前記蓄積電荷を放電するために放電スイッチＤＣＳＷをオンにし、放電が終了すれば、放電スイッチＤＣＳＷをオフにしてからデータラインスイッチＤＳＷm+1と走査ラインスイッチＳＳＷn+1をオンにして、次の発光対象である有機電界発光素子ＥＬm+1,n+1を発光させる』ような『発光装置駆動回路』」、「選択データライン」、「選択データラインと基準電位ラインとの間に発生した蓄積電荷による電位差、すなわちデータラインと基準電位ラインとの電位差」、「『線順次駆動』において、オンにすべき『データラインスイッチＤＳＷm』をオン状態にしておく期間」、「すべての『データラインスイッチＤＳＷm』をオフ状態にしておく期間」、「オンにすべき『放電スイッチＤＣＳＷ』をオン状態にしておく期間」、「放電スイッチＤＣＳＷをオンにする」、「『放電スイッチＤＣＳＷと基準電位ラインとの間』に『定電圧ダイオードを挿入』して『データラインと基準電位ラインとの電位差』を『固定』する『有機電界発光素子の発光開始電圧よりやや小さい値』」、「データラインと基準電位ラインとの間に存在する浮遊容量に充電電流が流れて蓄積した蓄積電荷による非選択素子が発光する非選択素子の発光」、「現実的には有機電界発光素子にもある程度の逆バイアス方向電流が流れるので半選択素子である有機電界発光素子に副パス電流が順バイアス方向に流れ」及び「単純マトリクス型発光装置」は、それぞれ、本願発明の「マトリクス状に配置された複数の発光ダイオード」、「複数のアノードライン」、「複数のカソードライン」、「『複数のアノードラインに対応して』設けられ、『各々が活性状態時』に『対応の前記アノードラインの蓄積電荷を放電する放電動作を行う複数の放電回路』」、「『点灯期間及び非点灯期間を繰り返し、前記点灯期間中において前記複数のアノードラインのうち一の選択アノードラインに駆動電圧を付与するアノードライン選択部』、『前記点灯期間中において前記複数のカソードラインのうち一の選択カソードラインから電流を引き込む駆動回路』及び『前記非点灯期間内に設定された放電期間において、前記複数のアノードラインのうち、前記放電期間直前の前記点灯期間中における前記選択アノードラインを少なくとも含む放電対象アノードラインに対応する前記放電回路を活性状態にする放電制御回路』」、「前記複数のアノードラインのうち、前記放電期間直前の前記点灯期間中における前記選択アノードライン」、「放電対象アノードラインの電位」、「点灯期間」、「非点灯期間」、「放電期間」、「放電回路を活性状態にする」、「設定電圧」、「選択アノードライン以外のアノードラインに接続され、選択カソードラインに接続される発光ダイオードが誤って発光する隣接漏れ発光」、「『複数の発光ダイオードのうち整流機能が不十分な発光ダイオード』に『逆方向電流』が流れ」及び「発光表示装置」に相当する。
　
（２）引用発明の「発光表示装置（単純マトリクス型発光装置）」は、データラインスイッチＤＳＷを介して駆動源の高電位側に接続されているＭ本の「アノードライン（データライン）」と、走査ラインスイッチＳＳＷ及び基準電位ラインを介して駆動源の低電位側に接続されているＮ本の「カソードライン（走査ライン）」と、「アノードライン」と「カソードライン」との電気的交点に配置・接続した、「複数の発光ダイオード（陽極をプラス極性とした場合順バイアス方向に電流が流れて発光し、陰極をプラス極性とした場合逆バイアス方向にはほとんど電流が流れないという整流特性を有するＭ×Ｎ個の有機電界発光素子）」とを有するものであるから、本願発明の「発光表示装置」と、「マトリクス状に配置された複数の発光ダイオードと、前記複数の発光ダイオードと行単位に接続される複数のアノードラインと、前記複数の発光ダイオードと列単位に接続される複数のカソードラインと、を備える」点で一致する。
　
（３）引用発明において、「放電制御回路」の放電スイッチＤＣＳＷと基準電位ラインとの間には、「アノードライン（データライン）」と基準電位ラインとの電位差を「設定電圧（有機電界発光素子の発光開始電圧よりやや小さい値）」に固定するための定電圧ダイオードが挿入されているから、「放電回路を活性状態にする（放電スイッチＤＣＳＷをオンにする）」と、「発光ダイオード（有機電界発光素子）」の駆動時に「前記複数のアノードラインのうち、前記放電期間直前の前記点灯期間中における前記選択アノードライン（前記選択データライン）」と基準電位ラインとの間に発生した蓄積電荷の少なくとも一部は放電されて、「放電対象アノードラインの電位（選択データラインと基準電位ラインとの間に発生した蓄積電荷による電位差、すなわちデータラインと基準電位ラインとの電位差）」は低下して、「発光ダイオード」の発光開始電圧以下になるが、定電圧ダイオードが挿入されているため、「設定電圧（有機電界発光素子の発光開始電圧よりやや小さい値）」に達すると、それよりも低下することはなく「設定電圧」で維持されることは当業者に自明である。
　また、引用発明の「発光表示装置（単純マトリクス型発光装置）」は、「前記複数の発光ダイオードのうち整流機能が不十分な発光ダイオードに逆方向電流が流れ（現実的には有機電界発光素子にもある程度の逆バイアス方向電流が流れるので半選択素子である有機電界発光素子に副パス電流が順バイアス方向に流れ）」て発光する副パス電流による半選択素子の発光と、「前記選択アノードライン以外のアノードラインに接続され、前記選択カソードラインに接続される発光ダイオードが誤って発光する隣接漏れ発光（データラインと基準電位ラインとの間に存在する浮遊容量に充電電流が流れて蓄積した蓄積電荷による非選択素子が発光する非選択素子の発光）」とに起因して、本来発光させたい発光素子以外の「発光ダイオード」までが発光する現象を抑制して良好な表示特性を得ることができるようにしたものであるから、上記「設定電圧」は、「前記選択アノードライン以外のアノードラインに接続され、前記選択カソードラインに接続される発光ダイオードが誤って発光する隣接漏れ発光」が生じず、かつ「前記複数の発光ダイオードのうち整流機能が不十分な発光ダイオードに逆方向電流が流れ」ない電位に設定されることも当業者に自明である。
　したがって、引用発明の「発光表示装置」と本願発明の「発光表示装置」とは「前記放電回路が一の前記放電期間中に行う放電動作である一期間放電動作を少なくとも一回行うことによって前記放電対象アノードラインの電位は前記駆動電圧から設定電圧に達し、前記放電対象アノードラインが前記設定電圧に達した後は、前記一期間放電動作によっても前記設定電圧は維持される」点及び「前記設定電圧は、前記選択アノードライン以外のアノードラインに接続され、前記選択カソードラインに接続される発光ダイオードが誤って発光する隣接漏れ発光が生じず、かつ前記複数の発光ダイオードのうち整流機能が不十分な発光ダイオードに逆方向電流が流れない電位に設定される」点で一致する。
　
（４）上記（１）ないし（３）からみて、本願発明と引用発明とは、
「マトリクス状に配置された複数の発光ダイオードと、
　前記複数の発光ダイオードと行単位に接続される複数のアノードラインと、
　前記複数の発光ダイオードと列単位に接続される複数のカソードラインと、
　前記複数のアノードラインに対応して設けられ、各々が活性状態時に対応の前記アノードラインの蓄積電荷を放電する放電動作を行う複数の放電回路と、
　点灯期間及び非点灯期間を繰り返し、前記点灯期間中において前記複数のアノードラインのうち一の選択アノードラインに駆動電圧を付与するアノードライン選択部と、
　前記点灯期間中において前記複数のカソードラインのうち一の選択カソードラインから電流を引き込む駆動回路と、
　前記非点灯期間内に設定された放電期間において、前記複数のアノードラインのうち、前記放電期間直前の前記点灯期間中における前記選択アノードラインを少なくとも含む放電対象アノードラインに対応する前記放電回路を活性状態にする放電制御回路を備え、
　前記放電回路が一の前記放電期間中に行う放電動作である一期間放電動作を少なくとも一回行うことによって前記放電対象アノードラインの電位は前記駆動電圧から設定電圧に達し、前記放電対象アノードラインが前記設定電圧に達した後は、前記一期間放電動作によっても前記設定電圧は維持され、
　前記設定電圧は、前記選択アノードライン以外のアノードラインに接続され、前記選択カソードラインに接続される発光ダイオードが誤って発光する隣接漏れ発光が生じず、かつ前記複数の発光ダイオードのうち整流機能が不十分な発光ダイオードに逆方向電流が流れない電位に設定される、
発光表示装置。」である点で一致し、次の点で相違する。
　
相違点：
　本願発明では、前記放電動作をその「抵抗値」が設定される「放電用の抵抗」を用いて行うとともに、前記「放電期間」が該抵抗値に合わせて設定されているのに対して、引用発明では放電用の抵抗を用いず、定電圧ダイオードを用いて行っている点。
　
５　判断
　上記相違点について検討する。
（１）蓄積電荷を抵抗を介して放電する放電回路は、単純マトリクス型の発光表示装置の技術分野において、本願の出願前に周知である（以下「周知技術」という。例．いずれも原査定の拒絶の理由に引用された、特開２００１−２３６０３９号公報（【００４０】、図１、図９参照。）、特開２００３−２１６１０７号公報（【００１９】、図４参照。））。
　
（２）引用発明において、放電スイッチＤＣＳＷと基準電位ラインとの間に、定電圧ダイオードを挿入している理由は、データラインと基準電位ラインとの電位差を有機電界発光素子の発光開始電圧よりやや小さい値に固定するためである。
　してみると、引用発明において、放電スイッチＤＣＳＷと基準電位ラインとの間に挿入する部品は、定電圧ダイオードに限られる訳ではないが、データラインと基準電位ラインとの電位差を有機電界発光素子の発光開始電圧よりやや小さい値に固定することができる必要があるといえる。
　しかるところ、放電スイッチと基準電位ラインとの間に抵抗を挿入するとともに、その抵抗値と放電期間との関係を適切に設定すれば、データラインと基準電位ラインとの電位差を有機電界発光素子の発光開始電圧よりやや小さい値に固定することができることは当業者に自明である。
　したがって、引用発明において、放電スイッチＤＣＳＷと基準電位ラインとの間に、データラインと基準電位ラインとの電位差を有機電界発光素子の発光開始電圧よりやや小さい値に固定することができるように、その抵抗値を放電期間と合わせて設定した抵抗を、定電圧ダイオードに代えて挿入することは、当業者が周知技術に基づいて適宜なし得た設計上の事項である。
　
（３）本願発明の奏する効果は、引用発明の奏する効果及び周知技術の奏する効果から当業者が予測することができた程度のことである。
　
（４）したがって、本願発明は、当業者が引用例に記載された発明及び周知技術に基づいて容易に発明をすることができたものである。
　
６　むすび
　本願発明は、以上のとおり、当業者が引用例に記載された発明及び周知技術に基づいて容易に発明をすることができたものであるから、特許法第２９条第２項の規定により特許を受けることができない。
　よって、結論のとおり審決する。